(57)【要約】【課題】  ＡＶシステムにおける機器間の映像、音声信号を無線通信を用いて伝送するような場合に、高速処理を行うためのハードウェア又は高速ＣＰＵを搭載しなくても、信号の高品質化を図り得る無線通信装置を提供する。【解決手段】  無線通信装置は、リアルタイム信号を受信する受信部１と、パケット解析部２と、パケット内の誤りブロックを訂正する誤り訂正部３と、通信路評価部２０と、データを保管するバッファ４と、複数のアンテナ１１…と、アンテナ切換え部６と、所定単位毎の通信路評価の結果に基づいてアンテナ切換えを指示するアンテナ切換え制御部５と、所定単位毎の通信路評価の結果に基づいて再送要求を行う再送要求制御部７と、再送要求パケットを生成するパケット生成部８と、再送要求パケットを送信する送信部９とを備える。再送要求制御部７は、リアルタイム伝送が途切れない範囲内で再送要求を行う。【選択図】  図１
2004166288.tif 000002
【特許請求の範囲】
【請求項１】
帯域保証を行なって、リアルタイム伝送が可能な無線通信装置において、
リアルタイム信号を受信する受信手段と、
上記受信手段にて受信したリアルタイム信号のパケットを解析するパケット解析手段と、
パケット内の各ブロックに誤りが有る場合に、少なくともその誤りブロックを検出するとともに、検出したパケット内におけるブロック毎の誤りを可能な限り訂正する誤り検出訂正手段と、
上記誤り検出訂正手段の出力結果に基づいて通信路を評価する通信路評価手段と、
受信したデータを一時的に保管するためのバッファと、
少なくとも２本のアンテナと、
上記アンテナを切換えるためのアンテナ切換え手段と、
上記通信路評価手段による所定単位毎の通信路評価の結果に基づいて、アンテナ切換え手段にアンテナ切換えを指示するアンテナ切換え制御手段と、
上記通信路評価手段による所定単位毎の通信路評価の結果に基づいて、再送要求を行う再送要求制御手段と、
上記再送要求制御手段からの指示に基づき再送要求パケットを生成するパケット生成手段と、
上記パケット生成手段にて生成された再送要求パケットを送信する送信手段とを備えるとともに、
上記再送要求制御手段は、リアルタイム伝送が途切れない範囲内で再送要求を行うように制御することを特徴とする無線通信装置。
【請求項２】
通信路評価手段は、受信したリアルタイム信号中に受信できなかったパケットを検出するパケット損失検出手段を備えていることを特徴とする請求項１記載の無線通信装置。
【請求項３】
通信路評価手段は、誤り訂正検出手段にてパケット内におけるブロック毎の誤りの訂正を試みたが訂正可能範囲を超えかつ訂正不能と判断されるブロックを検出するとともに、最初からパケット内に訂正できない誤りがあるブロックを検出する訂正不能ブロック検出手段を備えていることを特徴とする請求項１記載の無線通信装置。
【請求項４】
通信路評価手段は、通信路における誤りが発生した割合を測定するためのエラーレート測定手段を備えていることを特徴とする請求項１記載の無線通信装置。
【請求項５】
通信路評価手段は、通信路における受信レベルを測定するための受信レベル測定手段を備えていることを特徴とする請求項１記載の無線通信装置。
【請求項６】
アンテナ切換え制御手段は、通信路評価手段による通信路評価の結果が所定値よりも悪化した場合には、アンテナを切換えるように制御することを特徴とする請求項１記載の無線通信装置。
【請求項７】
アンテナ切換え制御手段は、アンテナを複数のパケット単位で切換えるように制御することを特徴とする請求項６記載の無線通信装置。
【請求項８】
アンテナ切換え制御手段は、アンテナを切換えた後の方が通信路評価の結果が悪いときは、アンテナを元に戻すことを特徴とする請求項６記載の無線通信装置。
【請求項９】
アンテナ切換え制御手段は、２回以上の再送要求ができる状態に限りアンテナを切換えるように制御することを特徴とする請求項６記載の無線通信装置。
【請求項１０】
アンテナ切換え制御手段は、再送要求が所定の量を超えたときには、アンテナの切換えが起こらないように制御することを特徴とする請求項９記載の無線通信装置。
【請求項１１】
アンテナ切換え制御手段は、再送要求が所定の量を超える状況が複数所定回続くような場合には、アンテナを切換えるように制御することを特徴とする請求項１０記載の無線通信装置。
【請求項１２】
再送要求制御手段は、通信路評価手段による所定単位毎の通信路評価の結果に基づき、再送要求を行うパケット内のブロック又はパケットに優先度を付けることができる機能を備えていることを特徴とする請求項１、２又は３記載の無線通信装置。
【請求項１３】
再送要求制御手段は、再送要求をする場合には、既にリアルタイム伝送の途切れが生じてしまったパケット内のブロック又はパケットの情報は破棄し、再送要求を行わないことを特徴とする請求項１、２又は３記載の無線通信装置。
【請求項１４】
パケット生成手段は、一度に、パケット内における複数のブロック又は複数のパケットの再送を要求し得ることを特徴とする請求項１、２又は３記載の無線通信装置。
【発明の詳細な説明】
【技術分野】
【０００１】
本発明は、例えば、テレビ、ビデオ又はＤＶＤ(Digital Versatile Disc/Digital Video Disc) 等の映像信号及び音声信号を扱う各種機器を接続したときのリアルタイム伝送データを扱う無線通信装置に関するものである。
【背景技術】
【０００２】
一般ユーザーの家庭等においては、テレビ、ビデオ又はＤＶＤ(Digital Versatile Disc)等の映像信号及び音声信号を扱う各種機器を接続したＡＶ(AudioVisual) システムの使用が一般化している。
【０００３】
ＡＶシステムを構築するに際しては、各種機器間で映像信号及び音声信号を同軸ケーブルや光ファイバー等にてケーブル接続することが通常であり、物理的に機器間の接続が限定されていた。
【０００４】
しかし、最近では、映像信号及び音声信号等のアナログ信号をデジタル信号に変換してパケット無線通信を用いて配信することにより、機器間の接続の自由度を広げることができる伝送システムの技術が確立されている。このような伝送システムの例としては、例えば、特許文献１に開示されている映像／音声伝送システムが知られている。
【特許文献１】特開平１０−３２２６７０号公報（１９９８年１２月４日公開）
【特許文献２】特開平２−３９７３５号公報（１９９０年２月８日公開）
【発明の開示】
【発明が解決しようとする課題】
【０００５】
ところで、上記従来の無線通信装置では、伝送距離が長くなればなるほどマルチパスフェージング（Multipath Phasing:多重通路位相変動）の影響を受け易くなり伝送過程での信号の劣化は避けられず、高画質及び高品質の出力を得ることは困難である。ここで、マルチパスフェージングについて概説する。一般的に、送信された電波は異なる媒質によって反射や散乱あるいは回折を受けて受信点に到達するが、受信点に至るまでの通路長はそれぞれ異なるため、到来した電波には時間差が発生する。これらの電波は受信点で合成し合い、電界強度を決定する。その際、位相が同相で加算し合う場合もあれば、逆相となり引き算し合う場合もある。そのため、受信電界強度は大きくなったり小さくなったりして変動する。いわゆるフェージングが発生する。このことをマルチパスフェージングという。
【０００６】
このようなマルチパスフェージングの影響に伴う信号の劣化により、テレビ等のリアルタイム伝送が求められる機器においては、再生時刻になってもエラーが残っている場合には、映像又は音声が途切れることとなり、ユーザーは快適に楽しむことができないという問題点を有している。
【０００７】
一方、上記問題を解決する方法として、例えば、特許文献２に開示されているように、複数のアンテナから１つのアンテナを選択するアンテナダイバーシティ(Antenna Diversity) を用いる方法が考えられる。ここで、アンテナダイバーシティには、例えば、複数のアンテナの各端子レベルを比較して最もレベルの高いフェージング波を選択する等の方式がある。
【０００８】
しかしながら、従来の方法では、パケット先頭の読取の同期をとるためのプリアンブル（Preamble: 開始符号) 部分で受信レベルを判断してアンテナを切換えて最適なアンテナを選択するため、選択処理に必要な十分長いプリアンブルの時間が必要となる。したがって、上記問題を解決するには、高速処理を行うためのハードウェア又は高速ＣＰＵ（Central Processing Unit)を搭載する必要があるという問題点を有している。
【０００９】
本発明は、上記従来の問題点に鑑みなされたものであって、その目的は、ＡＶシステムにおける機器間の映像、音声信号を無線通信を用いて伝送するような場合に、高速処理を行うためのハードウェア又は高速ＣＰＵを搭載しなくても、信号の高品質化を図り得る無線通信装置を提供することにある。
【課題を解決するための手段】
【００１０】
本発明の無線通信装置は、上記課題を解決するために、帯域保証を行なって、リアルタイム伝送が可能な無線通信装置において、リアルタイム信号を受信する受信手段と、上記受信手段にて受信したリアルタイム信号のパケットを解析するパケット解析手段と、パケット内の各ブロックに誤りが有る場合に、少なくともその誤りブロックを検出するとともに、検出したパケット内におけるブロック毎の誤りを可能な限り訂正する誤り検出訂正手段と、上記誤り検出訂正手段の出力結果に基づいて通信路を評価する通信路評価手段と、受信したデータを一時的に保管するためのバッファと、少なくとも２本のアンテナと、上記アンテナを切換えるためのアンテナ切換え手段と、上記通信路評価手段による所定単位毎の通信路評価の結果に基づいて、アンテナ切換え手段にアンテナ切換えを指示するアンテナ切換え制御手段と、上記通信路評価手段による所定単位毎の通信路評価の結果に基づいて、再送要求を行う再送要求制御手段と、上記再送要求制御手段からの指示に基づき再送要求パケットを生成するパケット生成手段と、上記パケット生成手段にて生成された再送要求パケットを送信する送信手段とを備えるとともに、上記再送要求制御手段は、リアルタイム伝送が途切れない範囲内で再送要求を行うように制御することを特徴としている。
【００１１】
上記の発明によれば、無線通信装置は、リアルタイム信号を受信する受信手段を有し、受信手段から出力された信号は、パケット解析手段により解析され、誤り検出訂正手段により誤り検出又は誤り訂正が行われ、その信号はバッファに保管される。また、誤り検出訂正手段の情報に基づいて通信路評価手段により通信路が評価され、アンテナ切換え制御手段により、現時点で最適なアンテナが選択される。さらに、通信路評価手段の所定単位毎の通信路評価の結果に基づいて、再送情報制御手段により再送が必要とされるパケット又はブロックが選択され、パケット生成手段により、再送要求パケットが生成される。そして、この再送要求パケットは、送信手段にて当該リアルタイム信号を送信した送信装置に送信される。
【００１２】
このような無線通信装置を用いることにより、伝送過程により信号が劣化しても、再送によりリアルタイム伝送が途切れることを極力抑えることができる。また、再送可能な状況である場合には、エラーが生じてからアンテナを切換えても再送によりリカバリーできるので、プリアンブルでの高速処理をするためのハード、又は高速ＣＰＵを必要としない。また、プリアンブルで最適なアンテナを選ぶ必要が無く、アンテナ切換えをパケット受信後に行うことにより同期を取るまでの時間を短くできるので、プリアンブルの長さを短くすることができる。
【００１３】
この結果、ＡＶシステムにおける機器間の映像、音声信号を無線通信を用いて伝送するような場合に、高速処理を行うためのハードウェア又は高速ＣＰＵを搭載しなくても、信号の高品質化を図り得る無線通信装置を提供することができる。
【００１４】
また、本発明の無線通信装置は、上記記載の無線通信装置において、通信路評価手段は、受信したリアルタイム信号中に受信できなかったパケットを検出するパケット損失検出手段を備えていることを特徴としている。
【００１５】
上記の発明によれば、パケット損失検出手段にて損失したパケットを検出し、より最適なアンテナを選ぶことができるので、受信装置にて受信できなかったパケットを再送要求することによりリカバリーできる。
【００１６】
また、本発明の無線通信装置は、上記記載の無線通信装置において、通信路評価手段は、誤り訂正検出手段にてパケット内におけるブロック毎の誤りの訂正を試みたが訂正可能範囲を超えかつ訂正不能と判断されるブロックを検出するとともに、最初からパケット内に訂正できない誤りがあるブロックを検出する訂正不能ブロック検出手段を備えていることを特徴としている。
【００１７】
上記の発明によれば、訂正不能ブロック検出手段にて誤り訂正不能又は誤りがあるブロックを検出し、より最適なアンテナを選ぶことができるので、受信装置にて受信できなかったブロックを再送要求することによりリカバリーすることができる。
【００１８】
また、本発明の無線通信装置は、上記記載の無線通信装置において、通信路評価手段は、通信路における誤りが発生した割合を測定するためのエラーレート測定手段を備えていることを特徴としている。
【００１９】
上記の発明によれば、エラーレート測定手段により、通信路におけるエラーレートを測定し、より最適なアンテナを選ぶことができる。
【００２０】
また、本発明の無線通信装置は、上記記載の無線通信装置において、通信路評価手段は、通信路における受信レベルを測定するための受信レベル測定手段を備えていることを特徴としている。
【００２１】
上記の発明によれば、受信レベル測定手段により、通信路における受信レベルを測定し、より最適なアシテナを選ぶことができる。
【００２２】
また、本発明の無線通信装置は、上記記載の無線通信装置において、アンテナ切換え制御手段は、通信路評価手段による通信路評価の結果が所定値よりも悪化した場合には、アンテナを切換えるように制御することを特徴としている。
【００２３】
上記の発明によれば、アンテナ切換え制御手段にて通信路評価手段による通信路評価の結果が所定値よりも悪化した場合に、受信感度が良いアンテナを選ぶことができる。
【００２４】
また、本発明の無線通信装置は、上記記載の無線通信装置において、アンテナを複数のパケット単位で切換えるように制御することを特徴としている。
【００２５】
上記の発明によれば、切換え直後に不安定な状態になった場合に、その通信状況を判断し、アンテナを複数のパケット単位で切換えるので、個々のパケット単位毎にアンテナが頻繁に切換わることを防ぐことができる。
【００２６】
また、本発明の無線通信装置は、上記記載の無線通信装置において、アンテナ切換え制御手段は、アンテナを切換えた後の方が通信路評価の結果が悪いときは、アンテナを元に戻すことを特徴としている。
【００２７】
上記の発明によれば、アンテナ切換え制御手段は、アンテナを切換えた後の方が通信路評価の結果が悪いときは、アンテナを元に戻すので、通信状態が現状よりもさらに悪くなるのを回避することができる。
【００２８】
また、本発明の無線通信装置は、上記記載の無線通信装置において、アンテナ切換え制御手段は、２回以上の再送要求ができる状態に限りアンテナを切換えるように制御することを特徴としている。
【００２９】
上記の発明によれば、アンテナを切換えた後の方が通信状況が悪くなったとしても、アンテナ切換え制御手段は、２回以上の再送要求を行なってからアンテナを切換えるように制御するので、２回以上の再送要求を行なう内にリカバリーすることができる。
【００３０】
また、本発明の無線通信装置は、上記記載の無線通信装置において、アンテナ切換え制御手段は、再送要求が所定の量を超えたときには、アンテナの切換えが起こらないように制御することを特徴としている。
【００３１】
すなわち、再送要求が所定の量を超えたときというのは、再送要求するパケット数が多くなっている状態であり、これ以上受信状況が悪くなるとリアルタイム伝送が途切れてしまう可能性がある場合である。
【００３２】
本発明では、このときには、アンテナ切換え制御手段は、アンテナの切換えが起こらないように制御する。このため、アンテナを切換えて、通信状況がさらに悪い状態になり、リアルタイム伝送が途切れてしまうのを防止することができる。
【００３３】
また、本発明の無線通信装置は、上記記載の無線通信装置において、アンテナ切換え制御手段は、再送要求が所定の量を超える状況が複数所定回続くような場合には、アンテナを切換えるように制御することを特徴としている。
【００３４】
上記の発明によれば、アンテナ切換え制御手段は、再送要求が所定の量を超える状況が複数所定回続くような場合には、アンテナを切換えるように制御するので、絶えず通信状況が悪い状態になることを防ぐことができる。
【００３５】
また、本発明の無線通信装置は、上記記載の無線通信装置において、再送要求制御手段は、通信路評価手段による所定単位毎の通信路評価の結果に基づき、再送要求を行うパケット内のブロック又はパケットに優先度を付けることができる機能を備えていることを特徴としている。
【００３６】
上記の発明によれば、再送要求制御手段は、通信路評価手段による所定単位毎の通信路評価の結果に基づき、優先度の高いブロック又はパケットから再送要求を行うので、リアルタイム伝送が途切れるのを最小限に抑えることができる。
【００３７】
また、本発明の無線通信装置は、上記記載の無線通信装置において、再送要求制御手段は、再送要求をする場合に、既にリアルタイム伝送の途切れが生じてしまったパケット内のブロック又はパケットの情報は破棄し、再送要求を行わないことを特徴としている。
【００３８】
上記の発明によれば、再送要求制御手段は、再送要求をする場合に、既にリアルタイム伝送の途切れが生じてしまったパケット内のブロック又はパケットの情報は破棄し、再送要求を行わないので、無駄な再送要求をすることを防ぐことができる。
【００３９】
また、本発明の無線通信装置は、上記記載の無線通信装置において、パケット生成手段は、一度に、パケット内における複数のブロック又は複数のパケットの再送を要求し得ることを特徴としている。
【００４０】
上記の発明によれば、パケット生成手段は、一度に、パケット内における複数のブロック又は複数のパケットの再送を要求し得るので、再送で救えるリアルタイム信号の数を増やすことができる。
【発明の効果】
【００４１】
本発明の無線通信装置は、以上のように、リアルタイム信号を受信する受信手段と、上記受信手段にて受信したリアルタイム信号のパケットを解析するパケット解析手段と、パケット内の各ブロックに誤りが有る場合に、少なくともその誤りブロックを検出するとともに、検出したパケット内におけるブロック毎の誤りを可能な限り訂正する誤り検出訂正手段と、上記誤り検出訂正手段の出力結果に基づいて通信路を評価する通信路評価手段と、受信したデータを一時的に保管するためのバッファと、少なくとも２本のアンテナと、上記アンテナを切換えるためのアンテナ切換え手段と、上記通信路評価手段による所定単位毎の通信路評価の結果に基づいて、アンテナ切換え手段にアンテナ切換えを指示するアンテナ切換え制御手段と、上記通信路評価手段による所定単位毎の通信路評価の結果に基づいて、再送要求を行う再送要求制御手段と、上記再送要求制御手段からの指示に基づき再送要求パケットを生成するパケット生成手段と、上記パケット生成手段にて生成された再送要求パケットを送信する送信手段とを備えるとともに、上記再送要求制御手段は、リアルタイム伝送が途切れない範囲内で再送要求を行うように制御するものである。
【００４２】
それゆえ、このような無線通信装置を用いることにより、伝送過程により信号が劣化しても、再送によりリアルタイム伝送が途切れることを極力抑えることができる。また、再送可能な状況である場合には、エラーが生じてからアンテナを切換えても再送によりリカバリーできるので、プリアンブルでの高速処理をするためのハード、又は高速ＣＰＵを必要としない。また、プリアンブルで最適なアンテナを選ぶ必要が無く、アンテナ切換えをパケット受信後に行うことにより同期を取るまでの時間を短くできるので、プリアンブルの長さを短くすることができる。
【００４３】
この結果、ＡＶシステムにおける機器間の映像、音声信号を無線通信を用いて伝送するような場合に、高速処理を行うためのハードウェア又は高速ＣＰＵを搭載しなくても、信号の高品質化を図り得る無線通信装置を提供することができるという効果を奏する。
【発明を実施するための最良の形態】
【００４４】
本発明の実施の一形態について図１ないし図６に基づいて説明すれば、以下の通りである。
【００４５】
本実施の形態の無線通信装置は、受信装置と送信装置とからなっている。
【００４６】
先ず、受信装置１０は、図１に示すように、帯域保証が確保されたリアルタイム信号を受信する受信手段としての受信部１と、パケット解析手段としてのパケット解析部２と、誤り検出訂正手段としての誤り訂正部３と、受信したデータを一時的に保管するバッファ４と、通信路評価手段としての通信路評価部２０と、アンテナ切換え制御手段としてのアンテナ切換え制御部５と、このアンテナ切換え制御部５の指示に基づいてアンテナを切換えるためのアンテナ切換え手段としてのアンテナ切換え部６と、再送要求制御手段としての再送要求制御部７と、再送要求制御部７からの指示に基づき再送要求パケットを生成するパケット生成手段としてのパケット生成部８と、送信手段としての送信部９と、受信又は送信するための少なくとも２本以上のアンテナ１１…とを有している。
【００４７】
上記パケット解析部２は、受信部１にて受信したリアルタイム信号のパケットを解析するようになっている。
【００４８】
ここで、上記受信部１にて受信される映像通信等のリアルタイム信号における基本的なデータパケットのフォーマットは、図２（ａ）に示すように、ヘッダーとデータと訂正符号とからなっている。また、同図（ａ）に示すフォーマットは１つのパケットに１個のデータを有する場合を示しているが、１つのパケットに複数個のデータを有する場合には、図２（ｂ）に示すように、ヘッダーの後ろにデータと訂正符号とを組み合わせた複数個のブロックが連なっている。なお、これらヘッダー及びデータの前後には、一つのパケットがどこからどこまでかを識別できるように、図示しないパケット先頭の読取の同期をとるためのプリアンブル（Preamble: 開始符号) と終端を示すためのポストアンブル（Postamble:終端符号）とが設けられている。
【００４９】
一方、図１に示す誤り訂正部３は、パケット内の各ブロックに誤りが存在する場合に、少なくともその誤りブロックを検出するとともに、検出したパケット内におけるブロック毎の誤りを可能な限り訂正するようになっている。すなわち、上記の誤り訂正部３は誤りを訂正するものとなっているが、本発明においては、必ずしもこれに限らず、誤り検出のみでも可能である。
【００５０】
上記通信路評価部２０は、受信部１にて受信される映像通信等のリアルタイム信号におけるデータパケットの損失を検出するパケット損失検出手段としてのパケット損失検出部２１と、誤り訂正部３で訂正できる範囲を超えたブロックを検出する訂正不能ブロック検出手段としての訂正不能ブロック検出部２２と、パケットの中に含まれていたエラーの割合を測定するエラーレート測定手段としてのエラーレート測定部２３と、受信電波強度を測定する受信レベル測定手段としての受信レベル測定部２４とからなっている。
【００５１】
また、上記アンテナ切換え制御部５は、上記通信路評価部２０による所定単位毎の通信路評価の結果に基づいて、アンテナ切換え部６にアンテナ切換えを指示するようになっている。また、上記再送要求制御部７は、通信路評価部２０による所定単位毎の通信路評価の結果に基づいて、エラー等のあったパケットやブロックについて、後述する送信装置３０に対して再送要求を行うとともに、リアルタイム伝送が途切れない範囲内で再送要求を行うように制御するようになっている。
【００５２】
ここで、基本的な再送信パケットのフォーマットは、図３（ａ）に示すように、ヘッダーとパケットナンバーとからなっており、再送信の必要のあるパケットナンバーをヘッダーとともに送信するものとなっている。また、前記図２（ｂ）に示すように、パケット内に複数のブロックが存在する場合においてそのいずれかのブロックについて再送信を希望する場合には、図３（ｂ）に示すように、ヘッダーの後ろに再送信を希望するブロックナンバーが連なるものとなっている。
【００５３】
上記の受信装置１０における動作について説明する。
【００５４】
前記の図２（ａ）（ｂ）に示すフォーマットによって受信部１にて受信された映像通信等のリアルタイム信号は、先ず、図１に示すように、パケット解析部２によりパケットの長さ等が解析され、誤り訂正部３によって誤り訂正が行われる。そして、上記誤り訂正部３によって誤り訂正された信号は、バッファ４と通信路評価部２０とに送られる。
【００５５】
通信路評価部２０の情報はアンテナ切換え制御部５に送られ、アンテナ切換え制御部５では、現在使用中のアンテナ１１の評価を行い、別のアンテナ１１に切換えるか否か、又は前段階でアンテナ１１を切換えたのであれば前段階でのアンテナ１１の評価と比較していずれのアンテナ１１を採用するか判定を行い、アンテナ切換え部６に信号を送る。
【００５６】
また、上記通信路評価部２０におけるパケット損失検出部２１及び訂正不能ブロック検出部２２の情報は再送要求制御部７に送られ、再送要求制御部７ではリアルタイム伝送が途切れることがないように再送要求に優先度をつけた上で、パケット生成部８に再送要求指示を出力する。パケット生成部８では再送要求パケットを生成し、送信部９によって送信する。
【００５７】
ここで、上記のアンテナ切換え制御部５における制御方法について、さらに具体的に、図４に示すフローチャートに基づいて説明する。
【００５８】
同図に示すように、受信処理において、先ず、上記誤り訂正部３にて誤り訂正処理が行なわれ、続いて、通信路評価部２０にてパケット損失検出処理と訂正不能ブロック検出処理とエラーレート測定処理と受信レベル測定処理とが平行に行なわれる（Ｓ１）。次いで、前段階でアンテナ１１を切換えたか否かを判断し（Ｓ２）、アンテナ１１を切換えていれば、切換える前のアンテナ１１と切換えた後のアンテナ１１とによってパケット損失率、訂正不能ブロック率、エラーレート及び受信レベルのそれぞれについて比較を行い（Ｓ３）、エラーレートが低くなったか否かを判断する（Ｓ４）。
【００５９】
Ｓ４におけるエラーレートが低くなったかの判断により、受信状況が良好になったと判断した場合には、全ての処理を終了する一方、受信状況が不良になったと判断した場合には、再送可能範囲内か否かを判断する（Ｓ５）。
【００６０】
一方、上記Ｓ２において、前段階でアンテナ１１を切換えていない場合には、パケット損失率、訂正不能ブロック率、エラーレート及び受信レベルのそれぞれにおいて各所定の値との比較処理を行い（Ｓ６）、同様に、エラーレートが低くなったか否かを判断する（Ｓ７）。そして、Ｓ７において、受信状況が良好であると判断した場合は全ての処理を終了する一方、受信状況が不良であると判断した場合には、前述したＳ５に移行して再送可能範囲内か否かを判断する。
【００６１】
ここで、Ｓ５における再送可能範囲内か否かの判断においては、先ず、図１に示す再送要求制御部７からの情報により、アンテナ１１を切換えてもし受信状況が悪くなっても再送によりリカバリーできる状態であるかどうかを判断する。そして、リカバリーできる状態であって再送要求が多く残っている状態でこれ以上受信状況が悪くなるとリアルタイム伝送が途切れてしまう可能性がある場合、又はリアルタイム伝送が既に途切れているような状況である場合には、この状況が複数回続いているか否かを判断する（Ｓ８）。すなわち、Ｓ８では、同じアンテナ１１でこのＳ８のステップを通る回数をカウントしておき、所定の複数回数を超えるような場合は、悪い受信状況が絶えず続いてしまうことを防ぐために、今使っているアンテナ１１から別のアンテナに切換えるように処理を行い（Ｓ９）、全ての処理を終了する。また、Ｓ８において、所定の複数回数を下回っているような場合には、直ちに全ての処理を終了する。
【００６２】
次に、再送要求制御部７の具体的な制御方法を、図５に示すフローチャートに基づいて説明する。
【００６３】
同図に示すように、受信処理では、先ず、前記誤り訂正部３にて誤り訂正処理が行なわれ、続いて、通信路評価部２０にて、パケット損失検出部２１によるパケット損失検出処理と訂正不能ブロック検出部２２による訂正不能ブロック検出処理とが行なわれる（Ｓ１１）。
【００６４】
次いで、再送要求制御部７は、上記の受信処理結果から再送情報の追加を行い（Ｓ１２）、再送の優先度を付ける。例えば、訂正不能ブロック検出処理の検出結果に基づき、訂正不能ブロックの個数が多いパケットの優先準位を上げるようにする。そして、現在、再送要求があるか否かを判定し（Ｓ１３）、再送要求が無ければ全ての処理を終了する。一方、Ｓ１３において、再送要求があれば、再送情報の中から優先度の高いブロック又はパケットを選び出し（Ｓ１４）、その情報をパケット生成部８へ伝送した後（Ｓ１５）、全ての処理を終了する。
【００６５】
次に、上記の無線通信装置における受信装置１０に対応する送信装置３０について説明する。
【００６６】
上記の受信装置１０に対応する送信装置３０は、図６に示すように、受信部３１とパケット解析部３２とパケット選択部３３とバッファ３４とパケット生成部３５と送信部３６とを有している。
【００６７】
上記の送信装置３０では、受信部３１にて受信された前記受信装置１０からの再送信要求パケットに対して、パケット解析部３２によってどのブロック又はパケットを再送信しなければならないかが判断される。そして、パケット解析部３２からの判断に基づき、パケット選択部３３にて優先度が高いブロック又はパケットが選択される。次いで、リアルタイム信号が保管されているバッファ３４から最適なパケット又はブロックを用いてパケット生成部３５によってパケットを生成し、そのパケットを送信部３６に送り、送信部３６により受信装置１０に再送信される。
【００６８】
このように、本実施の形態の無線通信装置の受信装置１０は、リアルタイム信号を受信する受信部１を有し、受信部１から出力された信号は、パケット解析部２により解析され、誤り訂正部３により誤り検出又は誤り訂正が行われ、その信号はバッファ４に保管される。また、誤り訂正部３の情報に基づいて通信路評価部２０により通信路が評価され、アンテナ切換え制御部５により、現時点で最適なアンテナ１１…が選択される。さらに、通信路評価部２０の所定単位毎の通信路評価の結果に基づいて、再送要求制御部７により再送が必要とされるパケット又はブロックが選択され、パケット生成部８により、再送要求パケットが生成される。そして、この再送要求パケットは、送信部９にて当該リアルタイム信号を送信した送信装置３０に送信される。
【００６９】
このような無線通信装置を用いることにより、伝送過程により信号が劣化しても、再送によりリアルタイム伝送が途切れることを極力抑えることができる。また、再送可能な状況である場合には、エラーが生じてからアンテナを切換えても再送によりリカバリーできるので、プリアンブルでの高速処理をするためのハード、又は高速ＣＰＵを必要としない。また、プリアンブルで最適なアンテナを選ぶ必要が無く、アンテナ切換えをパケット受信後に行うことにより同期を取るまでの時間を短くできるので、プリアンブルの長さを短くすることができる。
【００７０】
この結果、ＡＶシステムにおける機器間の映像、音声信号を無線通信を用いて伝送するような場合に、高速処理を行うためのハードウェア又は高速ＣＰＵを搭載しなくても、信号の高品質化を図り得る無線通信装置を提供することができる。
【００７１】
また、本実施の形態の無線通信装置では、受信装置１０の通信路評価部２０は受信したリアルタイム信号中に受信できなかったパケットを検出するパケット損失検出部２１を備えている。
【００７２】
このため、パケット損失検出部２１にて損失したパケットを検出し、より最適なアンテナ１１を選ぶことができるので、受信装置１０にて受信できなかったパケットを再送要求することによりリカバリーできる。
【００７３】
また、本実施の形態の無線通信装置では、受信装置１０の通信路評価部２０は、誤り訂正部３にてパケット内におけるブロック毎の誤りの訂正を試みたが訂正可能範囲を超えかつ訂正不能と判断されるブロックを検出するとともに、最初からパケット内に訂正できない誤りがあるブロックを検出する訂正不能ブロック検出部２２を備えている。
【００７４】
このため、訂正不能ブロック検出部２２にて誤り訂正不能又は誤りがあるブロックを検出し、より最適なアンテナを選ぶことができるので、受信装置１０にて受信できなかったブロックを再送要求することによりリカバリーすることができる。
【００７５】
また、本実施の形態の無線通信装置では、受信装置１０の通信路評価部２０は、通信路における誤りが発生した割合を測定するためのエラーレート測定部２３を備えている。このため、エラーレート測定部２３により、通信路におけるエラーレートを測定し、より最適なアンテナ１１…を選ぶことができる。
【００７６】
また、本実施の形態の無線通信装置では、通信路評価部２０の通信路評価部２０は、通信路における受信レベルを測定するための受信レベル測定部２４を備えている。このため、受信レベル測定部２４により、通信路における受信レベルを測定し、より最適なアシテナを選ぶことができる。
【００７７】
また、本実施の形態の無線通信装置では、アンテナ切換え制御部５は、通信路評価部２０による通信路評価の結果が所定値よりも悪化した場合には、アンテナ１１を切換えるように制御する。このため、アンテナ切換え制御部５にて、通信路評価部２０による通信路評価の結果が所定値よりも悪化した場合に、受信感度が良いアンテナ１１…を選ぶことができる。
【００７８】
また、本実施の形態の無線通信装置では、アンテナ１１を複数のパケット単位で切換えるように制御する。このため、切換え直後に不安定な状態になった場合に、その通信状況を判断し、アンテナ１１を複数のパケット単位で切換えるので、個々のパケット単位毎にアンテナ１１が頻繁に切換わることを防ぐことができる。
【００７９】
また、本実施の形態の無線通信装置では、受信装置１０のアンテナ切換え制御部５は、アンテナ１１を切換えた後の方が通信路評価の結果が悪いときは、アンテナ１１を元に戻す。このため、アンテナ１１を元に戻すことによって、通信状態が現状よりもさらに悪くなるのを回避することができる。
【００８０】
また、本実施の形態の無線通信装置では、アンテナ切換え制御部５は、２回以上の再送要求ができる状態に限りアンテナ１１を切換えるように制御する。このため、アンテナ１１を切換えた後の方が通信状況が悪くなったとしても、アンテナ切換え制御部５は、２回以上の再送要求を行なってからアンテナ１１を切換えるように制御するので、２回以上の再送要求を行なう内にリカバリーすることができる。
【００８１】
また、本実施の形態の無線通信装置では、受信装置１０のアンテナ切換え制御部５は、再送要求が所定の量を超えたときには、アンテナ１１の切換えが起こらないように制御する。すなわち、再送要求が所定の量を超えたときというのは、再送要求するパケット数が多くなっている状態であり、これ以上受信状況が悪くなるとリアルタイム伝送が途切れてしまう可能性がある場合である。
【００８２】
本実施の形態では、このときには、アンテナ切換え制御部５は、アンテナ１１の切換えが起こらないように制御するので、アンテナ１１を切換えて、通信状況がさらに悪い状態になり、リアルタイム伝送が途切れてしまうのを防止することができる。
【００８３】
また、本実施の形態の無線通信装置では、受信装置１０のアンテナ切換え制御部５は、再送要求が所定の量を超える状況が複数所定回続くような場合には、アンテナ１１を切換えるように制御する。このため、再送要求が所定の量を超える状況が複数所定回続くような場合には、アンテナを切換えるように制御するので、絶えず通信状況が悪い状態になることを防ぐことができる。
【００８４】
また、本実施の形態の無線通信装置では、受信装置１０の再送要求制御部７は、通信路評価部２０による所定単位毎の通信路評価の結果に基づき、再送要求を行うパケット内のブロック又はパケットに優先度を付けることができる機能を備えている。このため、再送要求制御部７は、通信路評価部２０による所定単位毎の通信路評価の結果に基づき、優先度の高いブロック又はパケットから再送要求を行うので、リアルタイム伝送が途切れるのを最小限に抑えることができる。
【００８５】
また、本実施の形態の無線通信装置では、受信装置１０の再送要求制御部７は、再送要求をする場合に、既にリアルタイム伝送の途切れが生じてしまったパケット内のブロック又はパケットの情報は破棄し、再送要求を行わない。このため、再送要求をする場合に、既にリアルタイム伝送の途切れが生じてしまったパケット内のブロック又はパケットの情報は破棄し、再送要求を行わないので、無駄な再送要求をすることを防ぐことができる。
【００８６】
また、本実施の形態の無線通信装置では、受信装置１０のパケット生成部８は、一度に、パケット内における複数のブロック又は複数のパケットの再送を要求し得るようになっている。このため、一度に、パケット内における複数のブロック又は複数のパケットの再送を要求し得るので、再送で救えるリアルタイム信号の数を増やすことができる。
【産業上の利用可能性】
【００８７】
本発明は、例えば、テレビ、ビデオ又はＤＶＤ(Digital Versatile Disc/Digital Video Disc) 等の映像信号及び音声信号を扱う各種機器を接続したときのリアルタイム伝送データを扱う無線通信装置に適用できる。
【図面の簡単な説明】
【００８８】
【図１】本発明における無線通信装置の受信装置の実施の一形態を示すブロック図である。
【図２】（ａ）は上記受信装置が受信するリアルタイム信号パケットのうち、データが１個からなる場合のフォーマットを示す説明図であり、（ｂ）は上記受信装置が受信するリアルタイム信号パケットのうち、データが複数個からなり複数のブロックを有する場合のフォーマットを示す説明図である。
【図３】（ａ）は上記受信装置が送信する再送要求パケットのフォーマットを示す説明図であり、（ｂ）は上記受信装置が送信する再送要求パケットであって複数のブロックナンバーを指定する場合のフォーマットを示す説明図である。
【図４】上記受信装置のアンテナ切換え制御部における制御動作を示すフローチャートである。
【図５】上記受信装置の再送要求制御部における制御動作を示すフローチャートである。
【図６】上記無線通信装置の送信装置の構成を示すブロック図である。
【符号の説明】
【００８９】
１    受信部（受信手段）
２    パケット解析部（パケット解析手段）
３    誤り訂正部（誤り検出訂正手段）
４    バッファ
５    アンテナ切換え制御部（アンテナ切換え制御手段）
６    アンテナ切換え部（アンテナ切換え手段）
７    再送要求制御部（再送要求制御手段）
８    パケット生成部（パケット生成手段）
９    送信部（送信手段）
１０    受信装置（無線通信装置）
１１    アンテナ
２０    通信路評価部（通信路評価手段）
２１    パケット損失検出部（パケット損失検出手段）
２２    訂正不能ブロック検出部（訂正不能ブロック検出手段）
２３    エラーレート測定部（エラーレート測定手段）
２４    受信レベル測定部（受信レベル測定手段）
３０    送信装置
３１    受信部
３２    パケット解析部
３３    パケット選択部
３４    バッファ
３５    パケット生成部
３６    送信部
【図１】
2004166288.tif 000003
【図２】
2004166288.tif 000004
【図３】
2004166288.tif 000005
【図４】
2004166288.tif 000006
【図５】
2004166288.tif 000007
【図６】
2004166288.tif 000008